(57)【特許請求の範囲】
【請求項１】
隣接する便器同士を仕切る仕切りパネル体と、仕切りパネル体の先端に設けられる正面パネル体と、隣接する正面パネル体間の出入り口の開閉をするドアパネル体とを備えて構成されるトイレブースにおいて、
天井面と、ドアパネル体の上端縁と、ドアパネル体の上端縁を越えて天井面にまで至る正面パネル体の縦端縁とのあいだに形成される欄間に組込まれる欄間パネル体であって、
正面パネル体の欄間対応部位の縦端縁に固定される正面パネル体側ベース材と、欄間パネル体の左右端縁に固定される欄間パネル体側ベース材とを備え、欄間パネル体は、ドアパネル体と同じ厚さに設定され、欄間パネル体側ベース材を正面パネル体側ベース材に対して下側からスライドされる状態で組込まれ、
該組込まれた欄間パネル体は、正面パネル体のドアパネル体取付け部位に設けたエッジ材の上端縁により脱落規制がなされるよう支持されることを特徴とするトイレブースにおける欄間構造。
【請求項２】
欄間パネル体の脱落規制部材は、ドアパネル体の吊元になるヒンジ金具であることを特徴とする請求項１記載のトイレブースにおける欄間構造。
【請求項３】
欄間パネル体の下端縁には、欄間パネル体側ベース材および正面パネル体側ベース材と同じ部材が組込まれていることを特徴とする請求項１または２記載のトイレブースにおける欄間構造。
【請求項４】
欄間パネル体側ベース材は、正面パネル体側ベース材に外嵌していることを特徴とする請求項１乃至３の何れか１記載のトイレブースにおける欄間構造。
【請求項５】
隣接する便器同士を仕切る仕切りパネル体と、仕切りパネル体の先端に設けられる正面パネル体と、隣接する正面パネル体間の出入り口の開閉をするドアパネル体とを備えて構成されるトイレブースにおいて、
天井面と、ドアパネル体の上端縁と、ドアパネル体の上端縁を越えて天井面にまで至る正面パネル体の縦端縁とのあいだに形成される欄間に欄間パネル体を組込む方法であって、
欄間パネル体は、ドアパネル体と同じ厚さに設定され、該欄間パネル体を、正面パネル体の欄間対応部位の縦端縁に固定される正面パネル体側ベース材に対し、欄間パネル体の左右端縁に固定される欄間パネル体側ベース材を下側からスライドさせてることで組込んだ後、正面パネル体のドアパネル体対応部位の縦端縁に取付けられるエッジ材を、該エッジ材の上端縁により欄間パネル体の脱落規制がなされるように組込むものであることを特徴とするトイレブースにおける欄間パネル体の組込み方法。
【発明の詳細な説明】
【技術分野】
【０００１】
本発明は、駅舎や学校等に設けられるトイレブースにおける欄間構造および欄間パネル体の組込み方法の技術分野に関するものである。
【背景技術】
【０００２】
今日、トイレブースの仕切り部位をパネル体で仕切ることがあるが、このようなパネル体のうち、出入口を挟むようにして両側に設けられる正面パネル体は天井部まで至るように構成される一方、出入口の開閉をするドアパネル体は天井部にまでは至らない構成とし、そしてドアパネル体の上端縁から天井部までのあいだのスペースを欄間とし、この欄間を開放したままにして閉塞感の無いようにしている。ところが近時、この欄間が開放したままであると、欄間から覗き見されたり盗撮されたりする等の防犯上の問題があり、そこでこの欄間に欄間パネル体を組込んで塞ぐことが試みられている（例えば特許文献１参照）。
【先行技術文献】
【特許文献】
【０００３】
【特許文献１】特開２０１５−３４４１９号公報
【発明の概要】
【発明が解決しようとする課題】
【０００４】
ところで前記従来のものは、正面パネル体の端縁に設けられるエッジ材を、正面パネル体端縁に固定される内エッジの凹溝に外エッジを嵌合組込みする構成にし、この内エッジを天井部までに至る長いものとし、そして内エッジの欄間に該当する部位の凹溝に、欄間パネル体を組み込むようにしていた。このため、欄間パネル体は、凹溝の溝幅に対応した厚さのものにしなければならないことになって、ドアパネル体と同厚の欄間パネル体を組み込むことができず、この結果、欄間パネル体が肉薄のものとなって統一性がなく見劣りしたものとなって、外観性を損なうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、隣接する便器同士を仕切る仕切りパネル体と、仕切りパネル体の先端に設けられる正面パネル体と、隣接する正面パネル体間の出入り口の開閉をするドアパネル体とを備えて構成されるトイレブースにおいて、天井面と、ドアパネル体の上端縁と、ドアパネル体の上端縁を越えて天井面にまで至る正面パネル体の縦端縁とのあいだに形成される欄間に組込まれる欄間パネル体であって、正面パネル体の欄間対応部位の縦端縁に固定される正面パネル体側ベース材と、欄間パネル体の左右端縁に固定される欄間パネル体側ベース材とを備え、欄間パネル体は、ドアパネル体と同じ厚さに設定され、欄間パネル体側ベース材を正面パネル体側ベース材に対して下側からスライドされる状態で組込まれ、該組込まれた欄間パネル体は、正面パネル体のドアパネル体取付け部位に設けたエッジ材の上端縁により脱落規制がなされるよう支持されることを特徴とするトイレブースにおける欄間構造である。
請求項２の発明は、欄間パネル体の脱落規制部材は、ドアパネル体の吊元になるヒンジ金具であることを特徴とする請求項１記載のトイレブースにおける欄間構造である。
請求項３の発明は、欄間パネル体の下端縁には、欄間パネル体側ベース材および正面パネル体側ベース材と同じ部材が組込まれていることを特徴とする請求項１または２記載のトイレブースにおける欄間構造である。
請求項４の発明は、欄間パネル体側ベース材は、正面パネル体側ベース材に外嵌していることを特徴とする請求項１乃至３の何れか１記載のトイレブースにおける欄間構造である。
請求項５の発明は、隣接する便器同士を仕切る仕切りパネル体と、仕切りパネル体の先端に設けられる正面パネル体と、隣接する正面パネル体間の出入り口の開閉をするドアパネル体とを備えて構成されるトイレブースにおいて、天井面と、ドアパネル体の上端縁と、ドアパネル体の上端縁を越えて天井面にまで至る正面パネル体の縦端縁とのあいだに形成される欄間に欄間パネル体を組込む方法であって、欄間パネル体は、ドアパネル体と同じ厚さに設定され、該欄間パネル体を、正面パネル体の欄間対応部位の縦端縁に固定される正面パネル体側ベース材に対し、欄間パネル体の左右端縁に固定される欄間パネル体側ベース材を下側からスライドさせてることで組込んだ後、正面パネル体のドアパネル体対応部位の縦端縁に取付けられるエッジ材を、該エッジ材の上端縁により欄間パネル体の脱落規制がなされるように組込むものであることを特徴とするトイレブースにおける欄間パネル体の組込み方法である。
【発明の効果】
【０００６】
請求項１、５の発明とすることにより、トイレブースにおいて、天井面、ドアパネル体の上端縁およびドアパネル体の上端縁から天井面にまで至る正面パネル体の端縁のあいだに形成される欄間に欄間パネル体を設けるものでありながら、欄間パネル体がドアパネル体と同じ厚さになって統一性が達成され、外観も向上する。しかも該欄間パネル体は、正面パネル体の欄間対応部位の端縁に固定される正面パネル体側ベース材に対し、欄間パネル体の左右端縁に固定される欄間パネル体側ベース材を下側からスライドさせる状態で組込まれることになるため、従来のように正面パネル体側に設けるエッジ材の凹溝の溝幅に拘泥されることなくドアパネル体と同厚の欄間パネル体を組込むことができ、統一性が発揮できて外観性が向上する。
請求項２の発明とすることにより、スライドさせる状態で組み込まれた欄間パネル体の脱落防止が、正面パネル体に設けられるエッジ材やドアパネル体の吊元に設けられるヒンジ金具を有効に利用してできることになって部品の兼用化が図れる。
請求項３の発明とすることにより、欄間パネル体は、左右両側縁および下端縁が統一された額縁で仕切られたものとなって統一性がさらに発揮でき、外観性も向上する。
請求項４の発明とすることにより、額縁としては欄間パネル体側ベース材が外観視されることになって、統一性がさらに向上する。
【図面の簡単な説明】
【０００７】
【図１】トイレブースの正面図である。
【図２】トイレブースの平面図である。
【図３】トイレブースの横断面図である。
【図４】欄間部位の正面図である。
【図５】欄間部位の拡大水平断面図である。
【図６】欄間部位の拡大縦断面図である。
【図７】欄間部位の吊元側の拡大縦断面図である。
【図８】（Ａ）〜（Ｃ）は欄間パネル体に外側エッジ材を取付ける手順を示す斜視図である。
【図９】（Ａ）〜（Ｄ）は欄間パネル体を欄間に組込む手順を示す斜視図である。
【発明を実施するための形態】
【０００８】
以下、本発明の実施の形態について、図面に基づいて説明する。図面において、１はトイレブースであって、該トイレブース１は、Ｔ字形に組付けられる仕切りパネル体２および正面パネル体３と、隣接する正面パネル体３間に形成される出入り口Ａの開閉をするドアパネル体４を用いて構成されている。そしてドアパネル体４は、図１、２に示す正面図および平面図において、説明上、中央部と右側のものが内開きに構成され、左側のものが外開きに構成されているが、これに限定されるものではなく、全て内開き、外開きとすることができることは勿論であり、またこれらを適宜組合わせたものとしても構成することができる。
さらに正面パネル体３は床面Ｆとのあいだに隙間があるが上端部は天井面Ｈまで至るようになっている。またドアパネル体４は、天井面Ｈとのあいだに欄間Ｒがスペースとして形成されるようになっているが、欄間Ｒは、本実施の形態では、正面視において左側のものが空間になったオープン仕様（汎用仕様）、中央部のものがドアパネル体と同じ厚さの欄間パネル体５が取付けられたパネル体仕様、右側のものがガラス板６等の板材（板材としては、アクリル樹脂等の樹脂材、アルミニウム等の金属材、木材等が例示される。）が嵌め込まれた板材仕様になっており、前記パネル体仕様に本発明が実施されている。
【０００９】
まず、正面パネル体３とドアパネル体４との互いに対向する縦端縁にそれぞれエッジ材７、８、９、１０が取付けられているが、ドアパネル体４の吊元側のヒンジ金具３ａが取付けられるエッジ材１０以外のエッジ材７、８、９は、共通する形状の内エッジ７ａ、８ａ、９ａに、形状が異なる外エッジ７ｂ、８ｂ、９ｂを外側から被せる状態で無理嵌め嵌合して組付けている。一方、正面パネル体の吊元側エッジ材１０は、幅方向（出入り方向）両側部にフォロー部１０ａが形成され、中央部位が凹溝１０ｂとなっているが、これらエッジ材のうち、正面パネル体３に設けられるエッジ材８、１０の上端部は何れもドアパネル体４の上端部位までの長さであり、具体的には、ドアパネル体４の上端部を開閉自在に支持するべくエッジ材１０に取付けられるヒンジ金具３ａまでの長さ（高さ）であって、これ以上については欄間専用の組込み構成になっている。因みに、欄間パネル体５は、ドアパネル体４、正面パネル体３と同じ板厚に設定されている。
【００１０】
１１は欄間パネル体５の左右両端縁および下端縁にビス１３を介して固定される外側ベース材（本発明の「欄間パネル体側ベース材」に相当する。）であって、該外側ベース材１１は、幅が欄間パネル体５の板厚と同じに設定され、欄間パネル体５の端面に当接する平板状の本体１１ａと、該本体１１ａの幅方向（欄間パネル体５の板厚方向）両端縁から欄間パネル体５とは逆方向に突出する外側脚片１１ｂと、該外側脚片１１ｂよりも幅方向内側部位から外側脚片１１ｂと同方向に突出する内側脚片１１ｃとから構成されるが、内側脚片１１ｃには係止突起１１ｄが形成されている。
【００１１】
一方、１２は外側ベース材１１に内嵌組込みされる内側ベース材（本発明の「正面パネル体側ベース材」に相当する。）であって、該内側ベース材１２は、幅方向端縁が外側ベース材１１の外側脚片１１ｂの内端縁１１ｅに当接する幅に設定される本体１２ａと、該本体１２ａの幅方向両端縁から欄間パネル体５方向に突出する外側脚片１２ｂと、該外側脚片１２ｂよりも幅方向内側に位置し、外側ベース材内側脚片１１ｃの幅方向外側面に摺接または近接対向する内側脚片１２ｃとを備えて構成されるが、内側脚片１２ｃには、外側ベース材内側脚片１１ｃに形成された係止突起１１ｄが抜止め状に係止する係止凹部１２ｄが形成されている。
【００１２】
そして欄間パネル体５は次のようにして欄間Ｒに組込まれる。まず、天井面Ｈにレール材１４を組付けると共に、仕切りパネル体２、正面パネル体３が組立てた状態で、正面パネル体３については、縦端縁の欄間対応部に内側ベース材１２をビス１３を介して固定する。
一方、欄間パネル体５の左右両縦端縁および下端縁に外側ベース材１１をビス１３を介して固定する。これら外側ベース材１１のうち、下端縁のものについては、係止突起１１ｄに係止凹部１２ｄが嵌合するよう内側ベース材１２を無理嵌め嵌合して組込む。
因みに、外側ベース材１１および内側ベース材１２は、現場で取付けてもよいが、工場等で予め固定されていてもよい。また、本実施の形態では、左右の外側ベース材１１と下側の外側ベース材１１とのコーナー部は４５度カットで突き合わされている。
【００１３】
そしてこの状態で欄間パネル体５を、左右の外側ベース材１１が正面パネル体３に設けた左右の内側ベース材１２にガイドされるよう下側から上側に向けてスライド移動させて組込む。しかる後、左右の正面パネル体４の端縁にエッジ材８、１０を組込むことになるが、この場合、エッジ材８、１０の上端縁は、下側の内外両ベース材１１、１２の左右方向端縁に下側から当接することになって欄間パネル体５の脱落を規制するように構成されている。
さらに本実施の形態では、ドアパネル体４の吊元となるＬ字形をしたヒンジ金具３ａをエッジ材１０の凹溝部１０ａに固定した後、ドアパネル体４を組込むことになるが、このヒンジ金具３ａの上端部が下端縁の内外両ベース材１１、１２に下側から当接するよう設定されており、これによっても欄間パネル体５の脱落規制をするようになっている。
その後、エッジ材７、９が取付けられたドアパネル体４を組込むことによりトイレブース１が組み立てられることになる。
尚、本実施の形態では、欄間パネル体５の上端部および内外側ベース材１１、１２の上端部には、レール材１４の下半部を内嵌するための凹溝５ａ、１１ｅ、１２ｅが形成されている。
【００１４】
叙述の如く構成された本発明の実施の形態において、ドアパネル体４の上方の欄間Ｒに、該ドアパネル体４と同じ厚さの欄間パネル体５を組込むことになるが、その場合に、仕切りパネル体２、正面パネル体３、レール材１４が組込まれた状態で、かつ欄間パネル体５には、左右両端縁および下端縁に外側ベース材１１が取付けられ、かつ下端側の外側ベース材１１には内側ベース材１２が取付けられ、仕切りパネル体２には内側ベース材１２が取付けられた状態にし、そして正面パネル体３にはエッジ材８、１０が取付けられる以前で、かつドアパネル体４が取付けられる以前の段階で、欄間パネル体５を持ち上げて外側ベース材１１を内側ベース材１２に下側から上方にスライドさせて所定の取付け位置まで移動する。しかる後、正面パネル体３の両縦端縁にエッジ材８、１０を取付けると、該エッジ材８、１０の上端縁が欄間パネル５の下端縁に設けた内側エッジ材１２の左右端縁に当接し、これによって欄間パネル体５は、脱落防止がなされる状態で組み付けられる。しかる後、ヒンジ金具３ａをエッジ材凹溝１０ｂに取付けた後、ドアパネル体４の組込みをすることで欄間パネル体が設けられたトイレブース１の組込みがなされる。
【００１５】
このように本発明が実施されたものにおいては、ドアパネル体４の上方の欄間Ｒに欄間パネル体５を組込むことになるが、この場合に、欄間パネル体５は、正面パネル体３の端縁に設けられるエッジ材側に形成される凹溝に組込むものでなく、エッジ材とは別体となった専用の外側ベース材１１、内側ベース材１２を用いて取り付けられることになるため、欄間パネル体５がドアパネル体４と同じ厚さのものであっても組込むことができることになって統一性が達成でき、外観も優れたものになる。
【００１６】
しかもこのものでは、正面パネル体３のドアパネル体４対応部位の端縁に取付けるベース材８、１０により欄間パネル体５の脱落防止がなされるので、これらエッジ材８、１０が落下防止部材に兼用されることになって専用の脱落防止材を用意する必要がなく部品点数の低減が図れる。
さらに欄間パネル体５の落下防止部材として、ドアパネル体４を吊り持つためのヒンジ金具３ａも利用されているため、欄間パネル体５の落下防止がさらに確実になる。
【００１７】
そのうえこのものでは、欄間パネル体５の下端縁に、内外ベース材１１、１２と同じ部材が設けられているため、欄間パネル体５は、左右および下端縁の三方が同様の額縁で仕切られた構造となって独立感が醸成され、外観も優れたものになる。
【００１８】
尚、本発明は前記実施の形態に限定されないものであることは勿論であって、内外ベース材の正面パネル体、欄間パネル体への取付けを逆にしてもよい。
【産業上の利用可能性】
【００１９】
本発明は、トイレブースにおける欄間構造および欄間パネル体の組込み方法として利用することができる。
【符号の説明】
【００２０】
１  トイレブース
２  仕切りパネル体
３  正面パネル体
３ａ  ヒンジ金具
４  ドアパネル体
５  欄間パネル体
７  エッジ材
８  エッジ材
９  エッジ材
１０  エッジ材
１１  外側ベース材
１２  内側ベース材
１３  ビス
Ｈ  天井面
Ｆ  床面
Ｒ  欄間
【図１】
0006735126.tif 000002
【図２】
0006735126.tif 000003
【図３】
0006735126.tif 000004
【図４】
0006735126.tif 000005
【図５】
0006735126.tif 000006
【図６】
0006735126.tif 000007
【図７】
0006735126.tif 000008
【図８】
0006735126.tif 000009
【図９】
0006735126.tif 000010